(57)【要約】【課題】選果ドラムの貫通孔に挟まった選果対象物を選果ドラムの外側に確実に押し出すことができる選果装置を提供することことを課題とする。【解決手段】選果ドラム２を回転させながら、選果ドラム２の周壁上の選果対象物を選果ドラムの貫通孔９を介して選果ドラム２内に落下させ、または、選果ドラム２の周壁上の選果対象物を選果ドラム２内に落下させないで下流側に搬送することによって、選果対象物を選別するように構成される、選果装置１であって、シャフト１０と、シャフト１０から突出するように構成される突出部１１と、を有し、シャフト１０が回転して、選果ドラム２の貫通孔９に挟まった選果対象物に突出部１１が当接することによって、選果ドラム２の貫通孔９に挟まった選果対象物を選果ドラム２の外側に押出すように構成される、押出し体８を備えるものである。【選択図】図１
2014168757.tif 000002
【特許請求の範囲】
【請求項１】
選果ドラムを回転させながら、前記選果ドラムの周壁上の選果対象物を前記選果ドラムの貫通孔を介して前記選果ドラム内に落下させ、または、前記選果ドラムの周壁上の選果対象物を前記選果ドラム内に落下させないで下流側に搬送することによって、前記選果対象物を選別するように構成される、選果装置であって、
シャフトと、前記シャフトから突出するように構成される突出部と、を有し、前記シャフトが回転して、前記選果ドラムの貫通孔に挟まった前記選果対象物に前記突出部が当接することによって、前記選果ドラムの貫通孔に挟まった前記選果対象物を前記選果ドラムの外側に押出すように構成される、押出し体を備える、
選果装置。
【請求項２】
前記押出し体は、前記突出部を複数個有して構成される、
請求項１に記載の選果装置。
【請求項３】
前記押出し体の突出部は、弾性素材で構成される、
請求項１に記載の選果装置。
【発明の詳細な説明】
【技術分野】
【０００１】
本発明は、選果装置の技術に関する。
【背景技術】
【０００２】
従来、果実または野菜を選別する装置である選果装置に関する技術は種々知られている。前記選果装置は、例えば、玉葱、ミカン、または、リンゴ等、の選果対象物を、その大きさごとに自動選別するように構成される。
前記選果装置には、選果ドラムを回転させながら、選果ドラムの周壁上の選果対象物を選果ドラムの貫通孔を介して選果ドラム内に落下させ、または、選果ドラムの周壁上の選果対象物を前記選果ドラム内に落下させないで下流側に搬送することによって、選果対象物を選別するように構成されるものが公知となっている（特許文献１参照）。
【０００３】
また、前記選果装置には、選果ドラムの貫通孔に選果対象物が挟まる場合があることから、選果ドラム内に押出しローラを備え、押出しローラが回転して選果ドラムの貫通孔に挟まった選果対象物が押出しローラの外面に当接することによって、選果ドラムの貫通孔に挟まった選果対象物を選果ドラムの外側に押し出すように構成されるものがある。
【先行技術文献】
【特許文献】
【０００４】
【特許文献１】特開平４−３１３３７２号公報
【発明の概要】
【発明が解決しようとする課題】
【０００５】
しかしながら、前記選果装置では、押出しローラが木製または金属製の素材からなる円柱または円筒状に構成される。つまり、前記選果装置では、押出しローラの外面が曲面で構成されるため、選果ドラムの貫通孔に挟まった選果対象物を選果ドラムの外側に押し出すにあたって当該選果対象物と押出しローラの外面とが当接したときの摩擦抵抗が比較的小さいものであった。
このため、前記選果装置では、選果ドラムの貫通孔に挟まった選果対象物と押出しローラの外面とが当接したときに滑ってしまい、選果ドラムの貫通孔に挟まった選果対象物を選果ドラムの外側に押し出すことができない場合があった。
【０００６】
本発明は以上の如き状況に鑑みてなされたものであり、選果ドラムの貫通孔に挟まった選果対象物を選果ドラムの外側に確実に押し出すことができる選果装置を提供することことを課題とする。
【課題を解決するための手段】
【０００７】
本発明の解決しようとする課題は以上の如くであり、次にこの課題を解決するための手段を説明する。
【０００８】
即ち、請求項１においては、選果ドラムを回転させながら、前記選果ドラムの周壁上の選果対象物を前記選果ドラムの貫通孔を介して前記選果ドラム内に落下させ、または、前記選果ドラムの周壁上の選果対象物を前記選果ドラム内に落下させないで下流側に搬送することによって、前記選果対象物を選別するように構成される、選果装置であって、シャフトと、前記シャフトから突出するように構成される突出部と、を有し、前記シャフトが回転して、前記選果ドラムの貫通孔に挟まった前記選果対象物に前記突出部が当接することによって、前記選果ドラムの貫通孔に挟まった前記選果対象物を前記選果ドラムの外側に押出すように構成される、押出し体を備えるものである。
【０００９】
請求項２においては、前記押出し体は、前記突出部を複数個有して構成されるものである。
【００１０】
請求項３においては、前記押出し体の突出部は、弾性素材で構成されるものである。
【発明の効果】
【００１１】
本発明の効果として、以下に示すような効果を奏する。
【００１２】
即ち、本発明によれば、選果ドラムの貫通孔に挟まった選果対象物を選果ドラムの外側に確実に押し出すことができる。
【図面の簡単な説明】
【００１３】
【図１】本発明の実施形態に係る選果装置の全体的な構成を示した側面図。
【図２】同じく選果装置の拡大側面図。
【図３】同じく選果装置の模式図。
【図４】同じく選果装置の選果ドラムを示した拡大平面図。
【図５】同じく選果装置の押出し体を示した拡大側面図。
【図６】同じく選果装置の押出し体を示した拡大平面図。
【図７】同じく選果装置の選果ドラムの貫通孔に挟まった選果対象物を押出す動作を示した断面図。
【図８】同じく選果装置の拡大側面図。
【発明を実施するための形態】
【００１４】
次に、図１から図７に示す選果装置１について説明する。
【００１５】
選果装置１は、果実または野菜を選別する装置である。選果装置１は、例えば、玉葱、ミカン、または、リンゴ等、の選果対象物を、その大きさごとに自動選別するように構成される。
選果装置１は、図１または図２に示すように、選果ドラム２と、回転ローラ３と、案内板４と、引出しコンベア５と、渡りコンベア６と、押出しローラ７と、押出し体８と、を備えて構成される。
【００１６】
選果装置１の選果ドラム２は、複数台（四台）備えられる。
選果ドラム２は、円筒状に構成される。
選果ドラム２は、その軸心を回転軸として回転可能に構成される。選果ドラム２は、矢印Ａの方向（図示時計回り方向）に回転するように構成される（図３参照）。
選果ドラム２は、その周壁に複数個の貫通孔９を有する（図４参照）。
【００１７】
選果装置１の複数個の選果ドラム２は、それぞれその貫通孔９の径が異なる大きさで構成される。
複数個の選果ドラム２は、その貫通孔９の径の最も小さいものから順に上流側から下流側に並べて配置される。
【００１８】
選果装置１の回転ローラ３は、回転することによって、矢印Ａの方向に選果ドラム２を回転させるように構成される。
回転ローラ３は、複数個備えられる。
回転ローラ３は、選果ドラム２毎に、一対ずつ配置される。
【００１９】
選果装置１の渡りコンベア６は、複数台（三台）備えられる。
渡りコンベア６は、隣接する選果ドラム２間を渡るように配置される。
【００２０】
選果装置１は、選果ドラム２を回転させながら、選果ドラム２の周壁上の選果対象物を選果ドラム２の貫通孔９を介して選果ドラム２内に落下させ、または、選果ドラム２の周壁上の選果対象物を前記選果ドラム２内に落下させないで下流側に搬送することによって、選果対象物を選別するように構成される。
選果装置１は、選果ドラム２が回転することによって、最も上流側に配置される選果ドラム２の周壁上の選果対象物のうち最も小さいものが、当該選果ドラム２の貫通孔９を介して選果ドラム２内に落下し、選果対象物のうち当該選果ドラム２内に落下しないものが、選果ドラム２の周壁上に配置されながら下流側（渡りコンベア６側）に搬送されるように構成される。選果装置１は、前記選果ドラム２内に落下せずに下流側に搬送された選果対象物が渡りコンベア６によってその下流側の選果ドラム２（最も上流側から二番目に配置される選果ドラム２）上に搬送されるように構成される。
選果装置１は、前記二番目に配置される選果ドラム２が回転することによって、当該選果ドラム２の周壁上の選果対象物のうち次に小さいものが、当該選果ドラム２の貫通孔９を介して選果ドラム２内に落下し、選果対象物のうち当該選果ドラム２内に落下しないものが、当該選果ドラム２の周壁上に配置されながら下流側（渡りコンベア６側）に搬送されるように構成される。選果装置１は、前記選果ドラム２内に落下せずに下流側に搬送された選果対象物が渡りコンベア６によってさらにその下流側の選果ドラム２（最も上流側から三番目に配置される選果ドラム２）上に搬送されるように構成される。
選果装置１は、このような動作を最も上流側から三番目および四番目の選果ドラム２においても同様に行うことによって、選果対象物を選別するように構成される。
選果装置１は、例えば、選果対象物が玉葱である場合には、最も上流側に配置される選果ドラム２の周壁上の玉葱のうちＭ寸のものが当該選果ドラム２の貫通孔９を介して当該選果ドラム２内に落下し、Ｌ寸のものがその下流側（最も上流側から二番目）に配置される選果ドラム２の貫通孔９を介して当該選果ドラム２内に落下し、Ｌ大寸のものがその下流側（最も上流から三番目）に配置される選果ドラム２の貫通孔９を介して当該選果ドラム２内に落下し、ＬＬ寸のものがその下流側（最も上流から四番目）に配置される選果ドラム２の貫通孔９を介して当該選果ドラム２内に落下することによって、選果対象物をその大きさ毎（Ｍ寸、Ｌ寸、Ｌ大寸、または、ＬＬ寸毎）に選別するように構成される。
【００２１】
選果装置１の案内板４は、複数個備えられる。
案内板４は、選果ドラム２毎に一対ずつ配置される。
案内板４は、選果ドラム２内に配置されて、選果ドラム２内に落下した選果対象物が引出しコンベア５上に案内するように構成される。
【００２２】
選果装置１の引出しコンベア５は、複数台（四台）備えられる。
引出しコンベア５は、選果ドラム２毎に配置される。
引出しコンベア５は、選果ドラム２内に落下して案内板４によって案内されて引出しコンベア５上に載置された選果対象物を選果ドラム２外（選果ドラム２の側方）に搬送するように構成される。
【００２３】
選果装置１の押出しローラ７は、円筒状に構成される。
押出しローラ７は、その軸心を回転軸として回転可能に構成される。押出しローラ７は、矢印Ｂの方向（選果ドラム２の回転方向と反対方向）に回転するように構成される（図３参照）。
押出しローラ７は、回転しながら選果ドラム２の貫通孔９に挟まった選果対象物に当接して、当該選果対象物を選果ドラム２の外側に押し出すように構成される。
押出しローラ７は、選果ドラム２内に配置される。押出しローラ７は、選果ドラム２内の上部に配置される。押出しローラ７は、選果ドラム２内における選果対象物の搬送方向の上流側に配置される。
【００２４】
選果装置１の押出し体８は、矢印Ｃの方向（選果ドラム２の回転方向と反対方向、または、押出しローラ７の回転方向と同一方向）に回転するように構成される（図３参照）。
押出し体８は、回転しながら選果ドラム２の貫通孔９に挟まった選果対象物に当接して、選果ドラム２の貫通孔９に挟まった選果対象物を選果ドラム２の外側に押し出すように構成される。
押出し体８は、選果ドラム２内に配置される。押出し体８は、選果ドラム２内の上部に配置される。押出し体８は、選果ドラム２内における選果対象物の搬送方向の上流側に配置される。
押出し体８は、図５乃至図７に示すように、シャフト１０と、突出部１１と、を有して構成される。
押出し体８は、シャフト１０が回転して、突出部１１（突出部１１の先端部の回転方向側の面）が選果ドラム２の貫通孔９に挟まった選果対象物に当接することによって、選果ドラム２の貫通孔９に挟まった選果対象物を選果ドラム２の外側に押し出すように構成される。
【００２５】
選果装置１の押出し体８のシャフト１０は、その軸心を回転軸として回転可能に構成される。押出し体８のシャフト１０は、矢印Ｃの方向（選果ドラム２の回転方向と反対方向）に回転するように構成される（図３参照）。
押出し体８のシャフト１０は、その軸心が選果ドラム２の軸心方向に沿うように配置される。押出し体８のシャフト１０は、選果ドラム２の軸心を亘るように構成される。
【００２６】
選果装置１の押出し体８の突出部１１は、シャフト１０から突出するように構成される。押出し体８の突出部１１は、シャフト１０周面からシャフト１０の軸心と直交する方向に突出するように構成される。
押出し体８の突出部１１は、シャフト１０の一端から他端に亘るように配置される。押出し体８の突出部１１は、選果ドラム２の軸心を亘るように構成される。
押出し体８の突出部１１は、取付け板１２とボルト１３とによってシャフト１０に固定される。押出し体８の突出部１１は、シャフト１０が回転したときにシャフト１０の軸心を回転軸心としてシャフト１０とともに回転するように構成される。
押出し体８の突出部１１は、その先端部が選果ドラム２の内周面の近傍に位置するように構成される。押出し体８の突出部１１は、その先端部が選果ドラム２内において選果ドラム２の貫通孔９に挟まった選果対象物に当接可能に位置するように構成される。
【００２７】
以上のように、選果ドラム２を回転させながら、選果ドラム２の周壁上の選果対象物を選果ドラム２の貫通孔９を介して選果ドラム２内に落下させ、または、選果ドラム２の周壁上の選果対象物を選果ドラム２内に落下させないで下流側に搬送することによって、選果対象物を選別するように構成される選果装置１であって、シャフト１０と、シャフト１０から突出するように構成される突出部１１と、を有し、シャフト１０が回転して、選果ドラム２の貫通孔９に挟まった選果対象物に突出部１１が当接することによって、選果ドラム２の貫通孔９に挟まった選果対象物を選果ドラム２の外側に押出すように構成される押出し体８を備える、選果装置１では、外面が曲面で構成されるようなもの（押出しローラ７）に比べて、選果ドラム２の貫通孔９に挟まった選果対象物を選果ドラム２の外側に押し出すにあたって当該選果対象物と押出し体８の突出部１１とが当接したときの摩擦抵抗が大きくなる。
このため、選果装置１では、選果ドラム２の貫通孔９に挟まった選果対象物と押出し体８の突出部１１とが当接したときに滑ることを抑制することができる。
したがって、選果装置１によれば、選果ドラム２の貫通孔９に挟まった選果対象物を選果ドラム２の外側に確実に押し出すことができる。
また、このように構成される選果装置１では、選果対象物が選果ドラム２の貫通孔９に挟まったことを検知するセンサ等を要さないため、選果ドラム２の貫通孔９に挟まった選果対象物を選果ドラム２の外側に確実に押し出すものを簡易な構成で実現することができる。
【００２８】
選果装置１の押出し体８の突出部１１は、板状の部材で構成される。
このように、押出し体８の突出部１１が板状の部材で構成される選果装置１では、押出し体８を簡易に構成することができる。
【００２９】
選果装置１の押出し体８は、複数個（四個）の突出部１１を有して構成される。
押出し体８の複数個の突出部１１は、シャフト１０から側面視で放射状にそれぞれ突出するように構成される。押出し体８の複数個の突出部１１は、等角度（９０度ずつ）位相をずらすようにしてそれぞれ配置されて構成される。押出し体８は、複数個の突出部１１は、側面視で十字状になるようにシャフト１０からそれぞれ配置されて構成される。
【００３０】
以上のように、押出し体８が突出部１１を複数個有して構成される、選果装置１では、突出部１１が単数個のものに比べて回転速度を遅くしても（例えば、突出部１１が単数個の押出し体８の回転速度に比べて四分の一の回転速度にしても）、突出部１１が単数個のものと同様のタイミングで選果ドラム２の貫通孔９に挟まった選果対象物に当接させることができる。
したがって、選果装置１によれば、押出し体８の突出部１１が選果対象物に当接したときの選果対象物への衝撃を抑制することができ、押出し体８の突出部１１が選果対象物に当接したときに選果対象物が損傷することを防止することができる。
【００３１】
選果装置１の押出し体８の突出部１１は、弾性素材で構成される。
押出し体８の突出部１１は、ゴム性の弾性素材からなる板状の部材で構成される。
押出し体８の突出部１１は、選果ドラム２の貫通孔９に挟まった選果対象物に当接したときに、選果ドラム２の貫通孔９に挟まった選果対象物を選果ドラム２の外側に押し出すことができるとともに弾性変形するような弾性を有して構成される。
【００３２】
以上のように、押出し体８の突出部１１が弾性素材で構成される選果装置１では、選果対象物に当接したときに押出し体８の突出部１１が弾性変形して、押出し体８の突出部１１が選果対象物に当接したときの選果対象物への衝撃を抑制することができ、押出し体８の突出部１１が選果対象物に当接したときに選果対象物が損傷することを防止することができる。
【００３３】
選果装置１の押出し体８は、図１または図２に示すように、選果ドラム２の回転方向における押出しローラ７の下流側に配置される。
このように、押出しローラ７と押出し体８とを備え、押出し体８が選果ドラム２の回転方向における押出しローラ７の下流側に配置される、選果装置１では、押出しローラ７によって選果ドラム２の貫通孔９に挟まった選果対象物を選果ドラム２の外側に押し出すことができない場合においても、押出し体８によって、選果ドラム２の貫通孔９に挟まった選果対象物を選果ドラム２の外側に押し出すことができる。
したがって、選果装置１によれば、選果ドラム２の貫通孔９に挟まった選果対象物を選果ドラム２の外側に確実に押し出すことができる。
【００３４】
次に、図８に示す、選果装置１について説明する。
なお、図８に示す選果装置１の説明は、図１乃至図７に示す選果装置１と同様の構成の部分については適宜省略し、図１乃至図７に示す選果装置１の構成と異なる部分を中心に説明する。
【００３５】
選果装置１は、図８に示すように、選果ドラム２と、回転ローラ３と、案内板４と、引出しコンベア５と、渡りコンベア６と、複数個（二個）の押出し体８と、を備えて構成される。
【００３６】
選果装置１の複数個の押出し体８は、選果ドラム２の回転方向に並べて配置される。
複数個の押出し体８は、選果ドラム２の回転方向において上流側と下流側とに位置するように配置される。
【００３７】
以上のように、複数個（二個）の押出し体８を備え、押出し体８が選果ドラム２の回転方向に並べて配置される、選果装置１では、上流側の押出し体８によって選果ドラム２の貫通孔９に挟まった選果対象物を選果ドラム２の外側に押し出すことができない場合においても、下流側の押出し体８によって、選果ドラム２の貫通孔９に挟まった選果対象物を選果ドラム２の外側に押し出すことができる。
したがって、選果装置１によれば、選果ドラム２の貫通孔９に挟まった選果対象物を選果ドラム２の外側に確実に押し出すことができる。
【符号の説明】
【００３８】
１    選果装置
２    選果ドラム
３    回転ローラ
４    案内板
５    引出しコンベア
６    渡りコンベア
７    押出しローラ
８    押出し体
９    貫通孔
１０  シャフト
１１  突出部
【図１】
2014168757.tif 000003
【図２】
2014168757.tif 000004
【図３】
2014168757.tif 000005
【図４】
2014168757.tif 000006
【図５】
2014168757.tif 000007
【図６】
2014168757.tif 000008
【図７】
2014168757.tif 000009
【図８】
2014168757.tif 000010